(57)【特許請求の範囲】
【請求項１】
流体圧力を目視情報に変換して表示する内装機を備えた圧力計を、流体圧機器に取り付けるための取付機構であって、
上記内装機に圧力流体を導く導圧部材に、流体圧機器に螺子で固定するための座部を形成し、
上記座部に導圧部材内の流体流路と連通する螺子用取付孔を形成して、該取付孔内に上記螺子を挿通し、
上記螺子と座部との間及び座部と流体圧機器との間にそれぞれシール部材兼用の緩衝部材を介在させた状態で、上記螺子を、流体圧機器の流体流路を兼ねる螺子孔に螺着し、
上記螺子に、上記取付孔と螺子孔とを相互に連通させる流路を形成した、
ことを特徴とする流体圧機器に対する圧力計の取付機構。
【発明の詳細な説明】
【０００１】
【発明の属する技術分野】
本発明は、圧力計を流体圧機器に振動や衝撃等による影響を受けないように緩衝的に取り付けるための取付機構に関するものである。
【０００２】
【従来の技術】
圧力調整弁等の流体圧機器には、通常、使用流体圧を測定するための圧力計が取り付けられる。このような圧力計としては、例えば、流体圧力をブルドン管の変形によって指針の動きに変換して表示するブルドン管圧力計があり、流体圧機器に対しては、図４に示す圧力計４０のように、圧力流体をブルドン管に導入するための導管を兼ねる取付軸４１を、流体圧機器４２に設けられている流体流路兼用のねじ孔４３にねじ込む方法や、図５に示す圧力計５０のように、ケースの複数個所を螺子５１で流体圧機器５２に固定する方法等により、固定的に取り付けられる。
【０００３】
ところが、このように圧力計を流体圧機器に固定的に取り付ける方法は、該流体圧機器の振動や落下時の衝撃等が該圧力計に直接伝わるため、ブルドン管や指針等の内装機が変形、位置ずれ等を生じて精度不良を起こし易く、正確な圧力検出を行うことが困難になり易いという欠点があった。
【０００４】
しかも、図４に示す取付方法は、圧力計４０が取付軸４１によって流体圧機器４２から大きく突出した状態に組み付けられるため、場所によっては該圧力計４０が邪魔になって流体圧機器４２を取り付けられないということもあった。
一方、図５に示す取付方法は、圧力計５０を流体圧機器５２に密着状態でコンパクトに取り付けることができるが、取付用の螺子５１と圧力流体導入用の導管５３とを別に設けなければならないため、構造が複雑になって組立時の作業性も悪いという問題がある。
【０００５】
【発明が解決しようとする課題】
本発明の主要な技術的課題は、圧力計を振動や衝撃等による影響を受けないように流体圧機器に取り付けることができる、緩衝効果の勝れた取付機構を提供することにある。
本発明の他の技術的課題は、圧力計を流体圧機器に簡単且つコンパクトに取り付けることができると共に、圧力流体を内装機に導くための導圧機構としての機能を兼ね備えた、合理的設計構造の取付機構を得ることにある。
【０００６】
【課題を解決するための手段】
上記課題を解決するため、本発明によれば、内装機に圧力流体を導く導圧部材に、流体圧機器に螺子で固定するための座部を形成し、上記座部に導圧部材内の流体流路と連通する螺子用取付孔を形成して、該取付孔内に上記螺子を挿通し、上記螺子と座部との間及び座部と流体圧機器との間にそれぞれシール部材兼用の緩衝部材を介在させた状態で、該螺子を、流体圧機器の流体流路を兼ねる螺子孔に螺着し、上記螺子に、上記取付孔と螺子孔とを相互に連通させる流路を形成したことを特徴とする取付機構が提供される。
【０００７】
上記構成を有する取付機構は、圧力計と流体圧機器との間及び圧力計と螺子との間にそれぞれ、緩衝部材を介在させているため、この緩衝部材の作用により、上記流体圧機器の振動や落下時の衝撃等が、該流体圧機器から圧力計に直接伝わることも、螺子を介して間接的に伝わることも防止される。この結果、圧力計の内装機が、流体圧機器からの振動や衝撃等により変形や位置ずれ等を起こして精度不良を来すことがなく、常に正確な圧力検出を行うことが可能となる。
【０００８】
また、圧力計を螺子で流体圧機器に簡単且つコンパクトに取り付けることができるばかりでなく、圧力流体を内装機に導くための導圧部材を固定用の座部として兼用すると共に、シール部材を緩衝部材として兼用し、且つ固定用の螺子を、流体圧機器から上記導圧部材に圧力流体を導くための導管として兼用することにより、上記取付機構に導圧機能と緩衝機能とを兼備させたので、該取付機構を非常に簡単で合理的な設計構造とすることができる。
【０００９】
【発明の実施の形態】
図１乃至図３は本発明に係る取付機構の一実施例を示すもので、図中１は圧力調整弁等に代表される周知の流体圧機器、２はこの流体圧機器１に取り付けられた圧力計であって、上記流体圧機器１は一部分のみが示されている。
【００１０】
上記圧力計２は、流体圧力を数値等の目視情報に変換して表示する内装機３と、該内装機３を収容するケース４と、該ケース４の前面に着脱自在に取り付けられた前面カバー５と、ケース４の背面に着脱自在に取り付けられた底板６とを備えていて、該底板６に上記内装機３が取り付けられ、該底板６をケース４に着脱することによって上記内装機３が、該ケース４に対して着脱自在となっている。上記ケース４は合成樹脂製又は金属製であり、また、前面カバー５は合成樹脂製であり、さらに、底板６は銅等の金属製である。
【００１１】
上記前面カバー５は目盛板を兼ねるもので、中央に円形の透明部分を有し、この透明部分に目盛７が付されている。この前面カバー５をケース４に着脱する機構は任意であるが、図示の実施例では、ケース４に形成した複数の係止孔９と、前面カバー５の裏面に形成した複数のフック１０とからなっている。
【００１２】
上記内装機３は、流体圧力を指針１２の回転運動に変換するブルドン管１３と、前面カバー５に表記された目盛７を指示する上記指針１２と、上記ブルドン管１３に圧力流体を導く導圧部材１４とを有するものである。
【００１３】
上記圧力計２は、上記導圧部材１４を利用した取付機構１５により、流体圧機器１に対して緩衝的に取り付けられている。即ち、図３に詳細に示すように、ブルドン管１３の一端を保持するホルダとしての機能を兼ね備えた上記導圧部材１４には、流体圧機器１に螺子１７で固定するための座部１８が形成され、該座部１８に、導圧部材１４内の流体流路１９と連通する螺子用取付孔２０が形成されている。上記流体流路１９は、上記取付孔２０とブルドン管１３とを連通させるものである。
【００１４】
上記取付孔２０内には、側面の一部に軸線方向の流路２１を備えた上記螺子１７が、合成ゴム等からなるシール部材兼用の緩衝部材２２ａを該螺子１７と座部１８との間に介在させると共に、同様の緩衝部材２２ｂを座部１８と流体圧機器１との間に介在させた状態で挿通され、流体圧機器１に設けられた流体流路兼用の螺子孔２４に螺着されている。そして、この螺子１７の螺子孔２４への螺着により、上記圧力計２が流体圧機器１に対し、上記緩衝部材２２ａ，２２ｂを介してシール状態で且つ緩衝的に取り付けられると共に、上記取付孔２０と螺子孔２４とが、螺子１７に切られた上記流路２１で相互に連通せしめられている。
【００１５】
上記構成の実施例において、流体圧機器１からの圧力流体は、上記螺子孔２４から、螺子１７に切られた流路２１、取付孔２０、及び流路１９を通じてブルドン管１３に供給され、該ブルドン管１３の変形に伴う指針１２の動きによって目盛７で表示される。
【００１６】
また、上記構成を有する取付機構１５は、螺子１７と座部１８との間にシール部材兼用の緩衝部材２２ａが介在すると同時に、該座部１８と流体圧機器１との間にも同様の緩衝部材２２ｂが介在することにより、これらの螺子１７と座部１８、及び座部１８と流体圧機器１とが何れも直接接触しないようになっているため、該流体圧機器１の振動や落下時の衝撃等が、該流体圧機器１から直接圧力計２に伝わることも、螺子１７を介して間接的に伝わることもない。このため、上記内装機３が振動や衝撃等によって変形や位置ずれ等を生じて精度不良を来すことがなく、常に正確な圧力検出を行うことができる。
【００１７】
更に、圧力流体をブルドン管１３に導く導圧部材１４に取付用の座部１８としての機能を兼備させると共に、緩衝部材２２ａ，２２ｂにシール部材としての機能を兼備させ、且つ圧力計２を取り付ける螺子１７に流路２１を設けることによって該螺子１７に、流体圧機器１から上記導圧部材１４に圧力流体を導くための導管としての機能を兼備させたことにより、上記取付機構１５に導圧機能と緩衝機能とを兼備させたので、導圧用の導管を別途に設ける必要がなく、該取付機構１５を非常に簡単で合理的な設計構造とすることができる。しかも、図５に示す場合と同様に、圧力計２を螺子１７で流体圧機器１に簡単且つコンパクトに取り付けることができる。
【００１８】
【発明の効果】
このように本発明の取付機構によれば、圧力計と螺子との間及び圧力計と流体圧機器との間にそれぞれ緩衝部材を介在させたことにより、流体圧機器の振動や落下時の衝撃等が直接又は螺子を介して間接的に圧力計に伝わるのを確実に防止することができ、この結果、該圧力計の内装機が、流体圧機器からの振動や衝撃等によって変形や位置ずれ等を生じて精度不良を来すことがなく、常に正確な圧力検出を行うことができる。
また、圧力計を螺子で流体圧機器に簡単且つコンパクトに取り付けることができるばかりでなく、圧力流体を内装機に導くための導圧部材に固定用座部としての機能を兼備させ、緩衝部材にシール部材としての機能を兼備させ、且つ、固定用の螺子に流体圧機器から上記導圧部材に圧力流体を導くための導管としての機能を兼備させたことにより、上記取付機構を、導圧機能と緩衝機能とを兼備した非常に簡単で合理的な設計構造とすることができる。
【図面の簡単な説明】
【図１】本発明に係る取付機構の一実施例を示す要部正面図である。
【図２】図１の側面図である。
【図３】図１におけるＡ−Ａ線での部分拡大断面図である。
【図４】従来の取付機構の一例を示す側面図である。
【図５】従来の取付機構の他例を示す要部断面図である。
【符号の説明】
１  流体圧機器                    ２  圧力計
３  内装機                      １４  導圧部材
１５  取付機構                    １７  螺子
１８  座部                        １９，２１  流路
２０  取付孔                      ２２ａ，２２ｂ  緩衝部材
２４  螺子孔
【図１】
0003717624.tif 000002
【図２】
0003717624.tif 000003
【図３】
0003717624.tif 000004
【図４】
0003717624.tif 000005
【図５】
0003717624.tif 000006